(57)【要約】【課題】  ゴム部材やコード入りゴム部材のような粘着性の部材をロールに巻き取った際の、ロールへの密着や部材間の密着を低減する。【解決手段】  ＢＯＸロール１０を、貫通孔１０Ｓが設けられた半円柱状部材１１Ａ，１１Ｂを、その間隔を拡縮可能に連結して構成されたＢＯＸロール本体１１と、スライド溝１１ｍ，１１ｎに挿入される、拡幅部１３ｂを有する第１の拡幅部材１３と、上記拡幅部１３ｂと同一の外形で、挿入孔１４ａを有する第２の拡幅部材１４とから構成し、巻き取り時には、上記第１及び第２の拡幅部材１３，１４をスライド溝１１ｍ，１１ｎに挿入して、ＢＯＸロール本体１１の外径を大きくし、巻き取り後には、上記第１及び第２の拡幅部材１３，１４を上記スライド溝１１ｍ，１１ｎから抜き取ってＢＯＸロール本体１１の外径を縮小することにより、巻き取られたコード入りゴム部材の密着を防ぐようにした。【選択図】        図１
2006131344.tif 000002
【特許請求の範囲】
【請求項１】
粘着性の部材を巻き取るための巻取ロールであって、上記ロールのロール径を縮小可能としたことを特徴とする粘着性部材用巻取ロール。
【請求項２】
中心に棒状の部材を挿入するための貫通孔が設けられた円柱を２分割した２つの半円柱状部材と、上記２つの半円柱部材を、上記２分割された貫通孔が互いに対向するように連結する連結部材と、上記貫通孔に挿入される棒状の部材であって、上記貫通孔と同じ断面形状を有する挿入部と上記挿入部から上記円柱の分割面に垂直な方向に突出する拡幅部とを備えた拡幅部材とを備えるとともに、上記２分割された貫通孔間の距離を拡縮可能に連結したことを特徴とする請求項１に記載の粘着性部材用巻取ロール。
【請求項３】
上記拡幅部材を、上記貫通孔の断面形状を有する挿入部と、上記挿入部から上記ロールの分割面に垂直な方向に突出する拡幅部を有し上記ロールの一方の底部から挿入される第１の拡幅部材と、上記ロールの他方の底部から挿入される、上記第１の拡幅部材の挿入部を挿入する挿入孔を有する上記拡幅部と同一の外形を有する第２の拡幅部材と、第１の拡幅部材を上記第２の拡幅部材に固定するための固定部材とから構成したことを特徴とする請求項２に記載の粘着性部材用巻取ロール。
【請求項４】
上記ロールの外周に巻き付けられたチューブと、このチューブの外側に貼り付けられる、上記筒状体の長さ方向に延長するプレートと、上記チューブに気体を充填する手段とを備えたことを特徴とする請求項１に記載の粘着性部材用巻取ロール。
【請求項５】
上記ロールを、円柱をその軸方向に平行に分割した、ロールの長さ方向に延長し、その断面形状が略扇型の複数個の拡幅部材から構成するとともに、上記各拡幅部材を、それぞれ、径方向にスライド可能としたことを特徴とする請求項１に記載の粘着性部材用巻取ロール。
【請求項６】
上記ロールを、その長さ方向に延長し、隣接する部材間の径方向の隙間を拡縮するヒンジによって接続された少なくとも２つの部材から構成したことを特徴とする請求項１に記載の粘着性部材用巻取ロール。
【請求項７】
上記ロールの外側に、断面が円弧状の、上記ロールの径方向にスライド可能な複数のスライド部材を取付けたことを特徴とする請求項１に記載の粘着性部材用巻取ロール。
【請求項８】
上記ロールの側面に、上記ロールの長さ方向に延長するチューブを配設するとともに、上記チューブに気体を充填する手段を設けたことを特徴とする請求項１に記載の粘着性部材用巻取ロール。
【請求項９】
円筒状に曲げ加工されたバネ部材と、このバネ部材の開口部にそれぞれ挿入される、その外径が上記筒状体の外側に行くにしたがって広がっていく２つの底面用部材とを備えるとともに、上記底面部材の間隔を伸縮して上記底面用部材の挿入深さを変更する手段を設けたことを特徴とする請求項１に記載の粘着性部材用巻取ロール。
【発明の詳細な説明】
【技術分野】
【０００１】
本発明は、主に、帯状の部材を巻取る巻取ロールに関するもので、特に、粘着性を有する部材を巻き取るための粘着性部材用巻取ロールに関する。
【背景技術】
【０００２】
加硫前のグリーンタイヤを成型する際には、一般に、円柱形のドラム上にインナーライナーゴム部材を巻付け、その上にコードをゴムで被覆したカーカスプライを巻付けた後、両側からビード補強部材を嵌めて固定し、その後、上記カーカスプライを折り返してからサイドトレッドを巻き付け、最後に、ベルト、トップトレッドを貼り付ける方法が行なわれている（例えば、特許文献１参照）。
図１０（ａ）は、上記カーカスプライやベルト端部及びベルト外層にナイロンコード入りゴム部材を巻きつけて成るレイヤー部材などのような、コード１にゴム部材２が被覆されたコード入りゴム部材３の模式図で、このような帯状のコード入りゴム部材３は、通常は、図９（ｂ）に示すような、中央に回転軸４が連結される角穴５ａを有する、樹脂製または木製の円柱状の巻取りロール５の側面にスパイラル状に巻き取られて一時保管された後、上記インナーライナーゴム部材やベルトなどとともに巻き出されて成型工程に送られる。
【特許文献１】特開２００３−２７８９８６号公報
【発明の開示】
【発明が解決しようとする課題】
【０００３】
ところで、上記コード入りゴム部材３や、上記トレッド部材などのゴム部材は、表面のゴムが粘着性を有するため、これらの部材を上記巻取りロール５に巻取ると、上記コード入りゴム部材３は主に巻取時のテンションが原因で、また、上記トレッド部材などのゴム部材は、主にゴムの収縮による巻取り後の巻締まりにより、巻芯で密着が発生し、このため、タッグ変化やゲージ変化が起きてしまうといった問題点があった。これは、上記部材を巻取りロール５へ直接巻いた場合（裸巻きした場合）にも発生するもので、裸巻きの場合には、上記コード入りゴム部材３やゴム部材にある程度テンションをかけた状態で巻き取るようにしているため、巻取り後の収縮も重なって密着力が更に上昇するとともに、部材同士の密着も発生する。
【０００４】
本発明は、従来の問題点に鑑みてなされたもので、ゴム部材やコード入りゴム部材のような粘着性の部材をロールに巻き取った際の、上記部材のロールへの密着や部材同士の密着を低減することのできる粘着部材用巻取ロールを提供することを目的とする。
【課題を解決するための手段】
【０００５】
本発明者らは、鋭意検討を重ねた結果、部材巻取り後にロールの外径を縮小させた状態で、上記ゴム部材やコード入りゴム部材のような粘着性の部材を保管するようにすれば、上記密着の問題を解決することができることを見いだし、本発明に到ったものである。
すなわち、本願の請求項１に記載の発明は、粘着性の部材を巻き取るための巻取りロールであって、上記ロールのロール径を縮小可能としたことを特徴とするものである。
請求項２に記載の発明は、請求項１に記載の粘着性部材用巻取ロールであって、中心に棒状の部材を挿入するため貫通孔が設けられた円柱を２分割した２つの半円柱状部材と、上記２つの半円等部材を、上記２分割された貫通孔が互いに対向するように連結する連結部材と、上記貫通孔に挿入される棒状の部材であって、上記貫通孔と同じ断面形状を有する挿入部と上記挿入部から上記円柱の分割面に垂直な方向に突出する拡幅部とを備えた拡幅部材とを備えるとともに、上記２分割された貫通孔間の距離を拡縮可能に連結したことを特徴とするものである。
請求項３に記載の発明は、請求項２に記載の粘着性部材用巻取ロールであって、上記拡幅部材を、上記貫通孔の断面形状を有する挿入部と、上記挿入部から上記ロールの分割面に垂直な方向に突出する拡幅部を有し上記ロールの一方の底部から挿入される第１の拡幅部材と、上記ロールの他方の底部から挿入される、上記第１の拡幅部材の挿入部を挿入する挿入孔を有する上記拡幅部と同一の外形を有する第２の拡幅部材と、第１の拡幅部材を上記第２の拡幅部材に固定するための固定部材とから構成したものである。
【０００６】
請求項４に記載の発明は、請求項１に記載の粘着性部材用巻取ロールであって、上記ロールの外周に巻き付けられたチューブと、このチューブの外側に貼り付けられる、上記筒状体の長さ方向に延長するプレートと、上記チューブに気体を充填する手段とを備えたことを特徴とするものである。
請求項５に記載の発明は、請求項１に記載の粘着性部材用巻取ロールであって、上記ロールを、円柱をその軸方向に平行に分割した、ロールの長さ方向に延長し、その断面形状が略扇型の複数個の拡幅部材から構成するとともに、上記各拡幅部材を、それぞれ、径方向にスライド可能としたことを特徴とするものである。
また、請求項６に記載の発明は、請求項１に記載の粘着性部材用巻取りロールであって、上記ロールを、その長さ方向に延長し、隣接する部材間の径方向の隙間を拡縮するヒンジによって接続された少なくとも２つの部材から構成したことを特徴とするものである。
【０００７】
請求項７に記載の発明は、請求項１に記載の粘着性部材用巻取りロールであって、上記ロールの外側に、断面が円弧状の、上記ロールの径方向にスライド可能な複数のスライド部材を取付けたことを特徴とするものである。
また、請求項８に記載の発明は、請求項１に記載の粘着性部材用巻取りロールであって、上記ロールの側面に、上記ロールの長さ方向に延長するチューブを配設するとともに、上記チューブに気体を充填する手段を設けたことを特徴とするものである。
【０００８】
請求項９に記載の発明は、請求項１に記載の粘着性部材用巻取りロールであって、円筒状に曲げ加工されたバネ部材と、このバネ部材の開口部にそれぞれ挿入される、その外径が上記筒状体の外側に行くにしたがって広がっていく２つの底面用部材とを備えるとともに、上記底面用部材の間隔を伸縮して上記底面用部材の挿入深さを変更する手段を設けたことを特徴とするものである。
【発明の効果】
【０００９】
本発明によれば、粘着性の部材を取るための巻取りロールを、例えば、中心に棒状の部材を挿入するため貫通孔が設けられた円柱を２分割した２つの半円柱状部材と、上記貫通孔に挿入される、上記貫通孔と同じ断面形状を有する挿入部と上記挿入部から上記ロールの分割面に垂直な方向に突出する拡幅部を備えた拡幅部材とから構成するとともに、上記２分割された貫通孔間の距離を拡縮可能に連結し、巻取り時には、上記挿入孔に上記拡幅部材を上記拡幅部まで挿入してロールの外径を大きくし、巻取り後には、上記拡幅部材を取り去るか、あるいは、挿入部のみ挿入することにより上記ロールの外径を縮小したり、
外周にチューブを巻付け、このチューブに気体を充填して外径を広げておき、巻取り後には上記気体を抜いて上記ロールの外径を縮小させるようにしたり、あるいは、巻取りロールを、円柱をその軸方向に平行に分割した、径方向にスライド可能な複数個の拡幅部材から構成し、巻取り時には上記拡幅部材を径方向外側にスライドさせておき、巻取り後には元の位置に戻して上記ロールの外径を巻取り時よりも縮小させるようにしたりするなどして、ゴム部材やコード入りゴム部材のような粘着性の部材をロールに巻取った後には、上記ロールの外径を縮小させた状態で上記粘着性の部材を保管できるようにしたので、粘着性の部材のロールへの密着を大幅に低減することができる。
【発明を実施するための最良の形態】
【００１０】
以下、本発明の実施の形態について、図面に基づき説明する。
実施の形態１．
図１は、本発明の実施の形態１に係る粘着部材用巻取ロール（以下、ＢＯＸロールという）１０の概略構成を示す図で、同図において、１１Ａ，１１Ｂは、中心に棒状の部材を挿入するため貫通孔１０Ｓが設けられた円柱を２分割した２つの半円柱状部材で、上記半円柱状部材１１Ａ，１１Ｂを、上記２分割された貫通孔１０Ｓにより構成されるスライド溝１１ｍ，１１ｎが互いに対向するように、連結部材１２で連結してＢＯＸロール本体１１を構成する。また、１３は上記貫通孔１０Ｓと同じの断面形状を有する挿入部１３ａと、拡縮用のスロープ１３ｋを有し上記挿入部１３ａから上記半円柱状部材１１Ａ，１１Ｂ方向に突出する拡幅部１３ｂとを備え上記ＢＯＸロール本体１１の一方の底部から挿入される第１の拡幅部材、１４は、上記ＢＯＸロール本体１１の他方の底部から挿入される第２の拡幅部材で、この第２の拡幅部材１４は上記拡幅部１３ｂと同一の外形を有するとともに、上記第１の拡幅部材の挿入部１３ａを挿入する挿入孔１４ａを有している。また、上記第１及び第２の拡幅部材１３，１４を上記スライド溝１１ｍ，１１ｎを更にスムースに挿入させることができるように、上記第１及び第２の拡幅部材１３，１４の先端側には、その断面が先端側に行くにしたがって小さくした導入部１３ｓ，１４ｓをそれぞれ設けた。
上記連結部材１２は、連結板１２ａをピン部材１２ｂ，１２ｃにより一方の半円柱状部材１１Ａに取付け、ピン部材１２ｄにより他方の半円柱状部材１１Ｂに取付けることにより、上記２つの半円柱状部材１１Ａ，１１Ｂを連結するもので、このとき、上記連結板１２ａに形成された上記ピン部材１２ｄの挿入孔を長穴１２ｅとしておけば、後述する第１及び第２の拡幅部材１３，１４の挿入において上記２つの半円柱状部材１１Ａ，１１Ｂ間の距離、すなわち、スライド溝１１ｍ，１１ｎの間の距離が拡張した場合には、上記ピン部材１２ｄが上記長穴１２ｅに沿って移動可能なので、上記２つの半円柱状部材１１Ａ，１１Ｂを図１の上下方向に案内することができる。
また、１３ｐは半円柱状部材１１Ａの先端部に設けられたロック穴、１４ｐは上記半円柱状部材１１Ｂに設けられた固定金具で、上記第１の拡幅部材１３を上記第２の拡幅部材１４に固定する際には、上記第１の拡幅部材１３の挿入部１３ａを半円柱状部材１１Ｂの挿入孔１４ａに挿入した後、上記固定金具１４ｐの先端を上記ロック穴１３ｐに係合させて固定する。
【００１１】
本発明によるＢＯＸロール１０を用いて、カーカスプライなどのコード入りゴム部材３の巻取りを行う時には、上記ＢＯＸロール本体１１の一方の底部側から挿入される第１の拡幅部材１３を、上記拡幅部１３ｂが上記ＢＯＸロール本体１１の内部に到達するまで挿入する。上記拡幅部１３ｂは拡縮用のスロープ１３ｋを有しているので、上記第１の拡幅部材１３をスライド溝１１ｍ，１１ｎにスムースに挿入させることができる。次に、上記ＢＯＸロール本体１１の他方の底部側から第２の拡幅部材１４を上記スライド溝１１ｍ，１１ｎに挿入する。このとき、上記第１の拡幅部材１４の挿入孔１４ａに、上記ＢＯＸロール本体１１の外部に突出された第１の拡幅部材１３の挿入部１３ａを挿入しながら上記スライド溝１１ｍ，１１ｎに挿入する。上記第２の拡幅部材１４の断面形状は上記第１の拡幅部材１３の拡幅部１３ｂと同じ形状であるので、上記ＢＯＸロール本体１１の外径を上記拡幅部１３ｂの高さの２倍だけ大きくすることができる。
上記第２の拡幅部材１４の挿入後には、上記固定金具１４ｐの先端を上記ロック穴１３ｐに係合させることにより、上記第１の拡幅部材１３を上記第２の拡幅部材１４に固定することにより、上記半円柱状部材１１Ａ，１１Ｂを連結する。これにより、図１（ｂ）に示すように、ＢＯＸロール１０の外径を大きくすることができる。
また、巻取り後には、上記第１及び第２の拡幅部材１３，１４を上記スライド溝１１ｍ，１１ｎから抜き取れば、図１（ｃ）に示すように、上記ＢＯＸロール本体１１は元の円柱に戻る。すなわち、ＢＯＸロール１０の外径を小さくすることができる。したがって、上記コード入りゴム部材３が巻締まりにより縮小しても、上記コード入りゴム部材３が上記ＢＯＸロール１０の表面に密着することはない。したがって、この状態で、上記コード入りゴム部材３を保管するようにすれば、上記巻き取られたコード入りゴム部材３を巻芯まで無駄無く使用することができる。
【００１２】
このように、本最良の形態１によれば、コード入りゴム部材３の巻取りを行うＢＯＸロール１０を、中心に棒状の部材を挿入するため貫通孔１０Ｓが設けられた円柱を２分割した２つの半円柱状部材１１Ａ，１１Ｂを、連結部材１２により、上記２つの半円柱状部材１１Ａ，１１Ｂ間の距離、すなわち、スライド溝１１ｍ，１１ｎの間の距離を拡縮可能に連結して構成されたＢＯＸロール本体１１と、上記スライド溝１１ｍ，１１ｎに、上記貫通孔１０Ｓと同じの断面形状を有する挿入部１３ａと拡縮用のスロープ１３ｋする拡幅部１３ｂとを有する第１の拡幅部材１３と、上記拡幅部１３ｂと同一の外形を有するとともに、上記挿入部１３ａを挿入する挿入孔１４ａを有する第２の拡幅部材１４とから構成し、巻き取り時には、第１の拡幅部材１３を、上記スライド溝１１ｍ，１１ｎに、上記ＢＯＸロール本体１１の一方の底部から挿入し、他方の底部から、上記第２の拡幅部材１４を挿入して、上記ＢＯＸロール本体１１の外径を大きくし、巻取り後には、上記第１及び第２のの拡幅部材１３，１４を上記スライド溝１１ｍ，１１ｎから抜き取って上記ＢＯＸロール本体１１の外径を縮小することができるようにしたので、上記巻き取られたコード入りゴム部材３の密着を防ぐことができる。したがって、上記コード入りゴム部材３を巻芯まで使用することができるので、生産性を向上させることができる。
【００１３】
なお、上記実施の形態１では、第１及び第２の拡幅部材１３，１４を用いて半円柱状部材１１Ａ，１１Ｂ間の距離を拡張してＢＯＸロール本体１１の外径を大きくしたが、拡幅部材が１個でも、挿入部１３ａの範囲を広く取ったものを用いれば、上記ＢＯＸロール本体１１の外径を大きくすることができる。
また、上記例では、第１の拡幅部材１４の挿入孔１４ａに、上記ＢＯＸロール本体１１の外部に突出された第１の拡幅部材１３の挿入部１３ａを挿入する構成としたが、上記ＢＯＸロール本体１１の両底面側から、上記拡幅部１３ｂと同様な拡幅部を有し、上記ＢＯＸロール本体１１の長さの半分以下の長さの棒状部材を上記スライド溝１１ｍ，１１ｎにそれぞれ挿入するようにしてもよい。
【００１４】
実施の形態２．
図２は、本発明の実施の形態２に係るＢＯＸロール２０の概略構成を示す図で、同図において、２１は樹脂製のロール本体、２２は上記ロール本体２１の外周にスパイラル状に巻き付けられたシリコンチューブ、２３は上記シリコンチューブ２２の外側に所定の間隔で貼り付けられた複数のプレート、２４は上記シリコンチューブ２２に気体を所定の圧力で充填するためのガスボンベ２５に接続された圧力調整弁、２６は上記シリコンチューブ２２内の気体を空気中に開放する開放弁である。
本発明によるＢＯＸロール２０を用いて、カーカスプライなどのコード入りゴム部材３の巻取りを行う時には、上記圧力調整弁２４を開いてガスボンベ２５から上記シリコンチューブチューブ２２内に気体を所定の圧力になるまで充填する。すなわち、図３（ａ）に示すように、上記シリコンチューブ２２に気体を充填して膨張させ、上記ＢＯＸロール２０の外径を大きくした状態で、コード入りゴム部材３の巻取りを行う。そして、巻取り後には、上記開放弁２６を開放して上記シリコンチューブチューブ２２内の圧力を大気圧に戻す。これにより、図３（ｂ）に示すように、ＢＯＸロール２０の外径、すなわち、上記各プレート２３の外周を結んだ面が縮小されるので、上記コード入りゴム部材３が巻締まりにより縮小しても、上記コード入りゴム部材３が上記ＢＯＸロール２０の表面（ここでは、プレート２３の表面）に密着することはない。したがって、この状態で、上記コード入りゴム部材３を保管するようにすれば、上記巻き取られたコード入りゴム部材３を巻芯まで無駄無く使用することができる。
【００１５】
実施の形態３．
図４は、本発明の実施の形態３に係るＢＯＸロール３０の概略構成を示す図で、同図において、３１は円柱状のロール芯部材、３２は円柱をその軸方向に平行に分割した、ロールの長さ方向に延長し、その断面形状が略扇型の拡幅部材、３３は上記拡幅部材３２を径方向外側にスライドさせるためのスライド機構であるリニアアクチュエータで、このリニアアクチュエータ３３の固定部であるシリンダ３３ａを上記芯部材３１の底面部に固定し、可動部であるシリンダロッド３３ｂの先端部を、上記各拡幅部材３２の底面部から突出する取付部３２ｂに固定する。そして、コード入りゴム部材３の巻取り時には、図５（ａ）に示すように、上記シリンダロッド３３ｂを伸長させて上記各拡幅部材３２をＢＯＸロール３０の径方向外側にスライドさせてその外径を大きくする。また、巻取り後には、上記シリンダロッド３３ｂを縮小させる。これにより、図５（ｂ）に示すように、上記ＢＯＸロール３０の外径が縮小されるので、この状態で、上記コード入りゴム部材３を保管するようにすれば、上記コード入りゴム部材３が上記ＢＯＸロール３０の表面に密着することを防ぐことができる。
なお、スライド機構として、上記リニアアクチュエータ３３に代えて、駆動機構を有しないリニアガイドを用いてもよい。但し、この場合には、別途ストッパ部材を設け、ＢＯＸロール３０の径を大きくした時に、上記リニアガイドの位置を固定しておき、巻取り後に上記ストッパ部材を開放すれば、巻締まりにより、上記リニアガイドの位置を伸長前の位置に戻るので、上記ＢＯＸロール３０の外径は縮小される。
【００１６】
また、上記実施の形態１〜３では、タイヤ部品であるカーカスプライなどのコード入りゴム部材３を巻き取って保管する場合について説明したが、これに限るものではなく、タイヤのトレッド部材のようなゴム部材や、インナーライナー、あるいは、粘着テープなどのような粘着性の部材の巻取り及び保管にも適用可能である。
また、上記例では、２つの半円柱状部材１１Ａ，１１Ｂを、その距離を拡縮可能に連結して構成されたＢＯＸロール本体１１の中心に設けられたスライド溝１１ｍ，１１ｎに、第１及び第２の拡幅部材１３，１４を挿入して用いて上記ＢＯＸロール本体１１の外径を大きくしたり、ロール本体２１の外周にシリコンチューブ２２を巻付け、このチューブ２２に充填する気体の量を調整してＢＯＸロール２０の外径を伸縮させたり、あるいは、径方向にスライド可能な複数個の拡幅部材３１から構成したＢＯＸロール３０を作製し、上記拡幅部材３１をスライドさせてＢＯＸロール３０の径を伸縮させた場合について説明したが、本発明によるＢＯＸロールの構成はこれに限るものではなく、粘着性の部材の巻取り後に、上記ＢＯＸロールの外径を縮小させた状態で粘着性の部材を保管することができるものであれば、他の構成であってもよい。
例えば、図６（ａ），（ｂ）に示すように、ＢＯＸロール４０のロール本体４１を、その径方向において、ヒンジ４２によって連結した２つの部材４１ａ，４１ｂから構成し、巻取り時には、上記ヒンジ４２を支点として、上記部材２つの部材４１ａ，４１ｂ間の隙間を広げておき、巻取り後には上記隙間を縮めるようにすれば、上記ＢＯＸロール４０の外径を縮小させた状態で粘着性の部材を保管することができる。
また、図７（ａ），（ｂ）に示すように、円柱状のロール本体５１の両外側に、板金にＲを付けて折り曲げた断面が半円状の拡幅部材５２ａ，５２ｂを、例えば、リニアアクチュエータのようなスライド機構５２により、上記ロール本体５１の径方向にスライド可能に取付け、巻取り時には上記拡幅部材５２ａを径方向外側にスライドさせてＢＯＸロール５０の外径を大きくしておき、巻取り後には上記拡幅部材５２ｂを元の位置に戻して上記ＢＯＸロール５０の外径を縮小させるようにしてもよい。
あるいは、図８に示すように、円柱のロール本体６１の側面に、布入りブラダーなどの膨張部材６２を配設し、この膨張部材６２に気体を充填してＢＯＸロール６０の外径を大きくしておき、巻取り後には上記気体を抜いて上記ＢＯＸロール６０の外径を縮小させるようにしてもよい。
【００１７】
また、図９（ａ），（ｂ）に示すように、ＢＯＸロール７０を、円筒状に曲げ加工されたバネ部材７１と、上記バネ部材７１の開口部にそれぞれ挿入される、その外径が上記バネ部材７１の外側に行くにしたがって広がっていく断面形状を有する底面用部材７２ａ，７２ｂと、これらの底面用部材７２ａ，７２ｂを連結するとともに、上記底面用部材７２ａ，７２ｂ間の距離を調節する調整ボルト７３とにより構成してもよい。すなわち、上記調整ボルト７３の挿入長さを調整することにより、上記底面用部材７２ａ，７２ｂの間隔を伸縮させて、上記底面用部材７２ａ，７２ｂの上記バネ部材７１への挿入深さを可変できるように構成すれば、巻取り時には、上記挿入深さを深くして上記バネ部材７１を押し広げて上記ＢＯＸロール７０の外径を大きくすることができる。また、粘着性の部材の巻取り後には、上記挿入深さを浅くすればバネ部材７１は元に戻り、上記ＢＯＸロール７０の外径は縮小する。したがって、粘着性の部材の巻取り後には、上記ＢＯＸロール７０の外径を縮小した状態で上記粘着性の部材を保管することができるので、上記粘着性の部材が上記ＢＯＸロール７０の表面に密着することを防ぐことができる。
【実施例】
【００１８】
上記粘着性の部材の収縮量はその材質によって異なるので、上記ＢＯＸロール１０〜７０の外径をどれだけ縮小するかは、実際の収縮量を測定して決定される。
コード入り部材Ａの巻取り前にベンチマークを入れ、巻取り後に切り出してその収縮量を測定したところ、収縮量は２〜３ｍｍ／３００ｍｍであった。
一方、ロール径が１００ｍｍの場合には、その周長はＬ＝２００×π≒６２８ｍｍなので、このロールに上記コード入り部材Ａを巻き取ると、総当で考えると約６ｍｍ巻締まることが予想される。そこで、上記縮小量６ｍｍを確保できる、上記ＢＯＸロール１０と同様の構造のＢＯＸロール（外径で１ｍｍ弱の縮小）を作製し、このＢＯＸロールに上記コード入り部材Ａを巻き取って５日間放置し、その密着状態を調べたところ、密着はなく、巻き取ったもの全てが使用可能であることが確認された。
【産業上の利用可能性】
【００１９】
このように、本発明によれば、粘着性の部材のロールへの密着を大幅に低減することができるので、上記粘着性の部材を巻芯まで使用することができ、生産性を向上させることができる。
【図面の簡単な説明】
【００２０】
【図１】本発明の実施の形態１に係るＢＯＸロールの構成を示す模式図である。
【図２】本発明の実施の形態２に係るＢＯＸロールの構成を示す模式図である。
【図３】本実施の形態２に係るＢＯＸロールの動作を説明するための図である。
【図４】本実施の形態３に係るＢＯＸロールの構成を示す模式図である。
【図５】本実施の形態３に係るＢＯＸロールの動作を説明するための図である。
【図６】本発明によるＢＯＸロールの他の構成を示す模式図である。
【図７】本発明によるＢＯＸロールの他の構成を示す模式図である。
【図８】本発明によるＢＯＸロールの他の構成を示す模式図である。
【図９】本発明によるＢＯＸロールの他の構成を示す模式図である。
【図１０】コード入りゴム部材と従来のＢＯＸロールを示す図である。
【符号の説明】
【００２１】
１  コード、２  ゴム部材、３  コード入りゴム部材、
１０，２０，３０  ＢＯＸロール、１０Ｓ  貫通孔、１１  ＢＯＸロール本体、
１１Ａ，１１Ｂ  半円柱状部材、１１ｍ，１１ｎ  スライド溝、１２  連結部材、
１２ａ  連結板、１２ｂ〜１２ｄ  ピン部材、１２ｅ  長穴、１３  第１の拡幅部材、
１３ａ  挿入部、１３ｂ  拡幅部、１３ｋ  拡縮用のスロープ、１３ｐ  ロック穴、
１３ｓ  導入部、１４  第２の拡幅部材、１４ａ  挿入孔、１４ｐ  固定金具、
１４ｓ  導入部、２１  ロール本体、２２  シリコンチューブ、２３  プレート、
２４  圧力調整弁、２５  ガスボンベ、２６  開放弁、３１  芯部材、３２  拡幅部材、３２ｂ  取付部、３３  リニアアクチュエータ、３３ａ  シリンダ、
３３ｂ  シリンダロッド。
【図１】
2006131344.tif 000003
【図２】
2006131344.tif 000004
【図３】
2006131344.tif 000005
【図４】
2006131344.tif 000006
【図５】
2006131344.tif 000007
【図６】
2006131344.tif 000008
【図７】
2006131344.tif 000009
【図８】
2006131344.tif 000010
【図９】
2006131344.tif 000011
【図１０】
2006131344.tif 000012